(57)【要約】【課題】化粧パネルの取り外し時において、作業性を向上した電子機器を提供することを目的としている。【解決手段】電子部品を搭載した筐体と、この筐体に対して着脱可能な化粧パネルとを備え、化粧パネルの取り付けは、挿入口１１３に突出片１２２ｂを挿入して挿入口１１３に突出片１２２ｂを係止して行い、化粧パネルの取り外しは、挿入口１１３と突出片１２２ｂとの間に冶具１３０を挿入して挿入口１１３に対する突出片１２２ｂの係止を解除し、かつ、冶具１３０を引き出しながら挿入口１１３から突出片１２２ｂを抜き出して行う構成としたものである。【選択図】図６
2011061115.tif 000002
【特許請求の範囲】
【請求項１】
電子部品を搭載した筐体と、
前記筐体に対して着脱可能な化粧パネルとを備え、
前記化粧パネルは、パネル本体と前記パネル本体から突出した突出片とを有し、
前記筐体は、前記化粧パネルの突出片を挿入する挿入口を有しており、
前記化粧パネルの取り付けは、
前記挿入口に前記突出片を挿入して前記挿入口に前記突出片を係止して行い、
前記化粧パネルの取り外しは、
前記挿入口と前記突出片との間に冶具を挿入して前記挿入口に対する前記突出片の係止を解除し、かつ、前記冶具を引き出しながら前記挿入口から前記突出片を抜き出して行う、
電子機器。
【請求項２】
前記冶具は前記挿入口と前記突出片との間隔よりも広い厚みを有し、
前記化粧パネルの取り外しは、
前記挿入口と前記突出片との間に前記冶具を押し込みながら挿入して前記挿入口に対する前記突出片の係止を解除し、かつ、前記冶具が前記突出片を加圧した状態で、前記冶具を引き出しながら前記挿入口から前記突出片を抜き出して行う、
請求項１に記載の電子機器。
【請求項３】
前記突出片は前記パネル本体の外縁部よりも内側に設け、
前記化粧パネルの取り外しは、
前記挿入口と前記突出片との間に前記冶具を挿入して前記挿入口に対する前記突出片の係止を解除し、かつ、前記冶具を前記パネル本体の外縁部に接触させて、前記冶具を引き出しながら前記挿入口から前記突出片を抜き出して行う、
請求項１に記載の電子機器。
【請求項４】
前記パネル本体の外縁部に係合する係合突起を前記冶具に設け、
前記化粧パネルの取り外しは、
前記挿入口と前記突出片との間に前記冶具を挿入して前記挿入口に対する前記突出片の係止を解除し、かつ、前記冶具の係合突起を前記パネル本体の外縁部に係合させるように接触させて、前記冶具を引き出しながら前記挿入口から前記突出片を抜き出して行う、請求項３に記載の電子機器。
【請求項５】
前記突出片または前記挿入口のいずれか一方に凸部を設けるとともに他方に凸部または凹部を設け、
前記化粧パネルの取り付けは、
前記挿入口に前記突出片を挿入して一方の前記凸部と他方の前記凹部または前記凸部とを係止して行い、
前記化粧パネルの取り外しは、
前記挿入口と前記突出片との間に前記冶具を挿入して一方の前記凸部と他方の前記凹部または前記凸部との係止を解除し、かつ、前記冶具を引き出しながら前記挿入口から前記突出片を抜き出して行う、
請求項１に記載の電子機器。
【請求項６】
前記突出片に前記凸部を設けるとともに前記挿入口に前記凹部または前記凸部を設けた請求項５に記載の電子機器。
【請求項７】
前記冶具の厚みは前記凸部の凸長以上にし、前記冶具の挿入に伴って前記突出片の凸部と前記挿入口の凹部または凸部との係止を解除させる請求項６に記載の電子機器。
【請求項８】
前記挿入口に前記凸部を設けるとともに前記突出片に前記凹部または前記凸部を設けた請求項５に記載の電子機器。
【請求項９】
前記冶具を斜めに挿入するガイド面を前記挿入口に設けた請求項１に記載の電子機器。
【請求項１０】
前記冶具は可撓性を有する請求項１に記載の電子機器。
【発明の詳細な説明】
【技術分野】
【０００１】
本発明は、化粧パネルを取り付けた電子機器に関するものである。
【背景技術】
【０００２】
以下、化粧パネルを取り付けた従来の電子機器について図面を参照しながら説明する。
【０００３】
図１４は、化粧パネルを取り付けた従来の電子機器の要部分解斜視図、図１５は同電子機器の化粧パネルの取り外しに用いる解除部材の斜視図、図１６は同電子機器の要部断面図、図１７は同電子機器の化粧パネルの取り外し時の要部断面図である。
【０００４】
図１４において、電子機器は、筐体１と、この筐体１の前面開口部の外周に取り付けたフランジ３を有している。このフランジ３の上下辺の中程には、細い係止孔５が形成され、この細い係止孔５の内側には、細く浅いスリット状の挿入部２７が各々形成されている。
【０００５】
また、フランジ３には化粧パネル７が取り付けられている。この化粧パネル７は、フランジ３と同様な外径形状を有し、筐体１の開口部を覆うように係合されるものである。化粧パネル７には液晶等の表示部１５やスイッチ等の操作部１７が配置されている。
【０００６】
この化粧パネル７は、その裏面にあって上端辺および下端辺に寄った位置の各々中程に１対の挿入片９が背面側へ一体的に突出している。各挿入片９には、外側面９ａ、すなわち上面側に係止突起１１が一体的に配置されており、各挿入片９が挿入部２７に各々挿入されたとき、係止突起１１が係止孔５に係止されるようになっている。この各挿入片９の外側面９ａは前面側に同一平面で延び、化粧パネル７の上端からコ字状に切り込んだ差込口２９となっている。
【０００７】
また、各挿入片９には解除部材３１が配置されている。図１５に示すように、この解除部材３１は、小ブロック片３１ａと、この小ブロック片３１ａの両端部横から脚のように同一方向へ突出する１対のガイド部３１ｂと、ガイド部３１ｂの突出側にはガイド部３１ｂの方向に向けた下り斜面３１ｃとを有している。
【０００８】
この解除部材３１は、両ガイド部３１ｂを挿入片９の両縁部に嵌めて挿入片９を跨ぐように挿入片９の外側面９ａ上に配置されており、挿入片９上をこの突出方向、すなわち係止突起１１に向けてスライド変移可能になっている。
【０００９】
図１６に示すように、筐体１の挿入部２７へ挿入片９を挿入して係止孔５に係止突起１１を係止させるとともに、挿入片９上の解除部材３１の下り斜面３１ｃを筐体１の前面開口部の角部に当接させ、化粧パネル７は筐体１に係合されている。
【００１０】
次に、化粧パネル７の取り外しについて説明する。
【００１１】
図１７に示すように、マイナスのドライバー２５の先端を化粧パネル７の前面側から差込口２９に差し込んで解除部材３１を押し出せば、解除部材３１が前進スライドして挿入部２７に一層挿入される。そうすると、下り斜面３１ｃによって筐体１の前面開口部角部が矢印「ハ」のように押し上げられ、前面開口部が湾曲するように広がる。
【００１２】
このとき、筐体１の係止孔５から係止突起１１が外れて、筐体１と化粧パネル７との係止状態が解除されるので、筐体１から化粧パネル７をそのまま引き抜けば取り外せる。
【００１３】
なお、この出願の発明に関連する先行技術文献情報としては、例えば、特許文献１が知られている。
【先行技術文献】
【特許文献】
【００１４】
【特許文献１】特開２００６−１００５５４号公報
【発明の概要】
【発明が解決しようとする課題】
【００１５】
上記従来の電子機器では、ドライバー２５と解除部材３１によって、筐体１に対する化粧パネル７の係止を解除できるものの、化粧パネル７を筐体１から取り外すためには、筐体１から化粧パネル７を手で引っ張って引き抜く必要があった。このため、化粧パネル７の取り外しにあたって、作業者は、ドライバー２５を手に持って化粧パネル７の係止を解除した後、ドライバー２５を置いて、化粧パネル７を手で引っ張って取り外したり、ドライバー２５を手に持った状態で、化粧パネル７を取り外したりする必要があり、作業性が悪いという問題を有していた。
【００１６】
本発明は上記問題を解決し、化粧パネルの取り外し時において、作業性を向上した電子機器を提供することを目的としている。
【課題を解決するための手段】
【００１７】
上記目的を達成するために本発明の電子機器は、電子部品を搭載した筐体と、前記筐体に対して着脱可能な化粧パネルとを備え、前記化粧パネルは、パネル本体と前記パネル本体から突出した突出片とを有し、前記筐体は、前記化粧パネルの突出片を挿入する挿入口を有しており、前記化粧パネルの取り付けは、前記挿入口に前記突出片を挿入して前記挿入口に前記突出片を係止して行い、前記化粧パネルの取り外しは、前記挿入口と前記突出片との間に冶具を挿入して前記挿入口に対する前記突出片の係止を解除し、かつ、前記冶具を引き出しながら前記挿入口から前記突出片を抜き出して行う構成としたものである。
【発明の効果】
【００１８】
本発明の電子機器によれば、化粧パネルの取り外しは、筐体の挿入口と化粧パネルの突出片との間に冶具を挿入して挿入口に対する突出片の係止を解除し、かつ、冶具を引き出しながら挿入口から突出片を抜き出して行うので、一つの冶具を用いて、突出片の係止を解除できるとともに挿入口から突出片を抜き出すことができる。すなわち、作業者は、手に持った一つの冶具を使うだけで、化粧パネルを取り外しやすくなるので、作業性を向上できる。
【図面の簡単な説明】
【００１９】
【図１】本発明の実施の形態１における電子機器の分解斜視図
【図２】同電子機器の化粧パネルの要部斜視図
【図３】同電子機器の要部分解断面図
【図４】同電子機器の要部断面図
【図５】同電子機器の化粧パネルの取り外し時に使用する冶具の斜視図
【図６】同冶具を用いた同電子機器の化粧パネルの取り外し時の図４のＡ部断面図
【図７】同電子機器の化粧パネルの取り外し時に使用する他の冶具の斜視図
【図８】同冶具を用いた同電子機器の化粧パネルの取り外し時の図４のＡ部断面図
【図９】本発明の実施の形態２における電子機器の化粧パネルの要部斜視図
【図１０】同電子機器の要部分解断面図
【図１１】同電子機器の要部断面図
【図１２】図５の冶具を用いた同電子機器の化粧パネルの取り外し時の図１１のＡ部断面図
【図１３】図７の冶具を用いた同電子機器の化粧パネルの取り外し時の図１１のＡ部断面図
【図１４】化粧パネルを取り付けた従来の電子機器の要部分解斜視図
【図１５】同電子機器の化粧パネルの取り外しに用いる解除部材の斜視図
【図１６】同電子機器の要部断面図
【図１７】同電子機器の化粧パネルの取り外し時の要部断面図
【発明を実施するための形態】
【００２０】
以下、発明を実施するための一実施の形態における化粧パネルを取り付けた電子機器について図面を参照しながら説明する。
【００２１】
（実施の形態１）
まず、実施の形態１における電子機器について説明する。
【００２２】
＜全体構成について＞
図１〜図４において、実施の形態１における電子機器１００は、各種の電子部品を搭載した筐体１１０と、電子機器１００の美観を生じさせるためのデザインを施し、この筐体１１０の前面に取り付けた化粧パネル１２０とを備えている。
【００２３】
化粧パネル１２０は、筐体１１０に対して着脱可能であって、筐体１１０の前面を被覆するパネル本体１２１と、パネル本体１２１の後面に配置し、筐体１１０に向かって突出するように配置した複数の突出片１２２ａ、１２２ｂとを有している。この突出片１２２ａ、１２２ｂは、パネル本体１２１の外縁部１２３よりも、数百μｍ〜数ｍｍ程度、内側に配置し、パネル本体１２１の上方および下方にそれぞれ複数配置している。
【００２４】
また、突出片１２２ａ、１２２ｂの先端には凸部１２４ａ、１２４ｂを設けており、この凸部１２４ａ、１２４ｂは鋭角形状や矩形形状としている。パネル本体１２１の上方に配置した凸部１２４ａは矩形形状とし、パネル本体１２１の下方に配置した凸部１２４ｂは鋭角形状とし、パネル本体１２１の下方に配置した突出片１２２ｂの長さを十数ｍｍとし、パネル本体１２１の上方に配置した突出片１２２ａの長さを数ｍｍとしている。さらに、この凸部１２４ａ、１２４ｂの凸長は数百μｍ〜数ｍｍ程度とし、突出片１２２ａ、１２２ｂの先端の断面形状を略Ｌ字形状になるようにしている。
【００２５】
筐体１１０は、図１、図３、図４に示すように、電子部品を搭載した筐体本体１１１と、この筐体本体１１１の前面に配置したフランジ部１１２とを有している。このフランジ部１１２には、化粧パネル１２０の突出片１２２ａ、１２２ｂを挿入する挿入口１１３を配置している。挿入口１１３には、化粧パネル１２０の突出片１２２ａ、１２２ｂの凸部１２４ａ、１２４ｂと係止する凹部１１４ａ、１１４ｂを設けており、この係止によって化粧パネル１２０が筐体１１０に保持されている。この凹部１１４ａ、１１４ｂには、挿入口１１３の外周端面１１５も含むものとし、本実施の形態１では、挿入口１１３の外周端面１１５が凹部１１４ａ、１１４ｂに該当している。
【００２６】
＜化粧パネル１２０の取り付けについて＞
次に、筐体１１０に化粧パネル１２０を取り付ける方法について説明する。
【００２７】
図３、図４に示すように、筐体１１０のフランジ部１１２の挿入口１１３に化粧パネル１２０の突出片１２２ａ、１２２ｂを挿入して、フランジ部１１２の挿入口１１３の凹部１１４ａ、１１４ｂに突出片１２２ａ、１２２ｂの凸部１２４ａ、１２４ｂを係止させることによって、化粧パネル１２０を筐体１１０に取り付けている。
【００２８】
まず、化粧パネル１２０の上方に配置した突出片１２２ａをこの突出片１２２ａに対応する挿入口１１３に挿入し、挿入口１１３の凹部１１４ａに突出片１２２ａの凸部１２４ａを係止させる。その後、化粧パネル１２０の下方に配置した突出片１２２ｂをこの突出片１２２ｂに対応する挿入口１１３に挿入し、挿入口１１３の凹部１１４ｂに突出片１２２ｂの凸部１２４ｂを係止させる。化粧パネル１２０の上方に配置した突出片１２２ａの長さを下方に配置した突出片１２２ｂの長さよりも短くしているので、このように取り付けている。
【００２９】
また、化粧パネル１２０の下方に配置した突出片１２２ｂを挿入する挿入口１１３は、その内周面を傾斜させている。挿入口１１３の奥に向かって、突出片１２２ｂの凸部１２４ｂを設けた側の面と対向する挿入口１１３の内周面を対向間隔が狭くなるように傾斜させている。これは、化粧パネル１２０の取り外しの際、突出片１２２ｂと挿入口１１３の間に冶具１３０を挿入するが、この冶具１３０を挿入しやすくするためのガイド面１１６として用いるためである。
【００３０】
＜化粧パネル１２０の取り外しについて＞
次に、筐体１１０から化粧パネル１２０を取り外す方法について説明する。
【００３１】
化粧パネル１２０の取り外しの際は、図５に示すような冶具１３０を用いる。この冶具１３０は、フランジ部１１２の挿入口１１３に挿入するための挿入部１３１と、手で持って作業するための取っ手部１３２とがある。取っ手部１３２は平板形状とし、挿入部１３１は細長形状としている。
【００３２】
この挿入部１３１は、適度に可撓性があって、曲げたり撓ませたりすることができる。また、挿入部１３１の厚みは、突出片１２２ｂに設けた凸部１２４ｂの凸長と同等の厚さ、または凸長よりも少しだけ厚くしている。さらに、挿入部１３１には、化粧パネル１２０の外縁部１２３に係合する、数百μｍ程度の係合突起１３３を形成している。
【００３３】
取り外しは、上記冶具１３０の取っ手部１３２を持って、図６に示すように、フランジ部１１２の挿入口１１３の内周面と化粧パネル１２０の突出片１２２ｂとの間に冶具１３０の挿入部１３１を挿入する。冶具１３０の挿入部１３１は、挿入口１１３の内周面と突出片１２２ｂとの間隔よりも広い厚みなので、冶具１３０の挿入部１３１を押し込みながら挿入することになる。挿入が深くなるにつれて、挿入口１１３の凹部１１４ｂに係止されていた突出片１２２ｂの凸部１２４ｂが持ち上がり、凹部１１４ｂに対する凸部１２４ｂの係止が解除される。挿入部１３１の厚みを突出片１２２ｂの凸部１２４ｂの凸長以上にしているので、冶具１３０の挿入部１３１を挿入するだけで係止が解除される。
【００３４】
その後、取っ手部１３２を持って、フランジ部１１２の挿入口１１３の内周面と化粧パネル１２０の突出片１２２ｂとの間から冶具１３０の挿入部１３１を引き出す。この際、挿入部１３１に設けた係合突起１３３を化粧パネル１２０の外縁部１２３に係合させるように接触させて挿入部１３１を引き出す。化粧パネル１２０の外縁部１２３に挿入部１３１の係合突起１３３が係合しているので、挿入部１３１の引き出しにともなって突出片１２２ｂも抜き出される。
【００３５】
また、冶具１３０の挿入部１３１は、挿入口１１３の内周面と突出片１２２ｂとの間隔よりも広い厚みなので、冶具１３０の挿入部１３１が突出片１２２ｂを加圧した状態となり、挿入部１３１と突出片１２２ｂとの間に摩擦力が働くので、この摩擦力によっても、突出片１２２ｂが抜き出される。
【００３６】
このように、フランジ部１１２の挿入口１１３の内周面と化粧パネル１２０の突出片１２２ｂとの間から冶具１３０の挿入部１３１を引き出す際、この挿入部１３１の引き出しにともなって突出片１２２ｂが抜き出される。
【００３７】
そして、フランジ部の上方に配置された挿入口１１３の凹部１１４ａに係止された突出片１２２ａの凸部１２４ａを解除し、化粧パネル１２０を取り外している。この係止の解除は、フランジ部の下方に配置された挿入口１１３の凹部１１４ｂに係止された突出片１２２ｂの凸部１２４ｂを抜き出すことによって、自然に解除できる。
【００３８】
＜実施の形態１のまとめ＞
上記実施の形態１の電子機器１００によれば、化粧パネル１２０の取り外しは、筐体１１０の挿入口１１３と化粧パネル１２０の突出片１２２ｂとの間に冶具１３０を挿入して挿入口１１３に対する突出片１２２ｂの係止を解除し、かつ、冶具１３０を引き出しながら挿入口１１３から突出片１２２ｂを抜き出すので、一つの冶具１３０を用いて、突出片１２２ｂの係止を解除できるとともに挿入口１１３から突出片１２２ｂを抜き出すことができる。すなわち、作業者は、手に持った一つの冶具１３０を使うだけで、化粧パネル１２０を取り外しやすくなるので、作業性を向上できる。
【００３９】
また、冶具１３０は筐体１１０の挿入口１１３と化粧パネル１２０の突出片１２２ｂとの間隔よりも広い厚みを有し、化粧パネル１２０の取り外しは、挿入口１１３と突出片１２２ｂとの間に冶具１３０を押し込みながら挿入して挿入口１１３に対する突出片１２２ｂの係止を解除し、かつ、冶具１３０が突出片１２２ｂを加圧した状態で、冶具１３０を引き出しながら挿入口１１３から突出片１２２ｂを抜き出して行うので、冶具１３０の引き出しの際、挿入部１３１と突出片１２２ｂとの間に働く摩擦力によって、突出片１２２ｂを抜き出しやすくなり、化粧パネル１２０も取り外しやすくなる。
【００４０】
また、化粧パネル１２０の突出片１２２ｂはパネル本体１２１の外縁部１２３よりも内側に設け、化粧パネル１２０の取り外しは、挿入口１１３と突出片１２２ｂとの間に冶具１３０を挿入して挿入口１１３に対する突出片１２２ｂの係止を解除し、かつ、冶具１３０をパネル本体１２１の外縁部１２３に接触させて、冶具１３０を引き出しながら挿入口１１３から突出片１２２ｂを抜き出して行うので、冶具１３０の引き出しの際、パネル本体１２１の外縁部１２３と挿入部１３１との間に働く摩擦力によって、突出片１２２ｂを抜き出しやすくなり、化粧パネル１２０も取り外しやすくなる。
【００４１】
また、パネル本体１２１の外縁部１２３に係合する係合突起１３３を冶具１３０に設け、化粧パネル１２０の取り外しは、挿入口１１３と突出片１２２ｂとの間に冶具１３０を挿入して挿入口１１３に対する突出片１２２ｂの係止を解除し、かつ、冶具１３０の係合突起１３３をパネル本体１２１の外縁部１２３に係合させるように接触させて、冶具１３０を引き出しながら挿入口１１３から突出片１２２ｂを抜き出して行うので、冶具１３０の引き出しの際、パネル本体１２１の外縁部１２３に係合した係合突起１３３によって、突出片１２２ｂを抜き出しやすくなり、化粧パネル１２０も取り外しやすくなる。
【００４２】
また、突出片１２２ｂに凸部１２４ｂを設け、挿入口１１３に凹部１１４ｂを設け、化粧パネル１２０の取り付けは、挿入口１１３に突出片１２２ｂを挿入して突出片１２２ｂの凸部１２４ｂと挿入口１１３の凹部１１４ｂを係止して行い、化粧パネル１２０の取り外しは、挿入口１１３と突出片１２２ｂとの間に冶具１３０を挿入して突出片１２２ｂの凸部１２４ｂと挿入口１１３の凹部１１４ｂとの係止を解除し、かつ、冶具１３０を引き出しながら挿入口１１３から突出片１２２ｂを抜き出して行うので、挿入口１１３に対する突出片１２２ｂの係止や解除の構成が容易である。
【００４３】
また、冶具１３０の厚みは凸部１２４ｂの凸長以上にし、冶具１３０の挿入に伴って突出片１２２ｂの凸部１２４ｂと挿入口１１３の凹部１１４ｂとの係止を解除させているので、突出片１２２ｂと挿入口１１３の間に冶具１３０の挿入部１３１を挿入するだけで、挿入口１１３の凹部１１４ｂに対する突出片１２２ｂの凸部１２４ｂの係止を解除できる。
【００４４】
また、冶具１３０を斜めに挿入するガイド面１１６を挿入口１１３に設けているので、突出片１２２ｂと挿入口１１３の間に冶具１３０の挿入部１３１を挿入しやすい。
【００４５】
また、冶具１３０は可撓性を有するので、挿入口１１３の形状にあわせて冶具１３０が変形し、突出片１２２ｂと挿入口１１３の間に冶具１３０の挿入部１３１を挿入しやすい。
【００４６】
なお、本実施の形態１では、挿入口１１３の外周端面１１５を凹部１１４ａ、１１４ｂとして定義したが、凹部１１４ａ、１１４ｂは挿入口１１３の内周面に設けたり、凹部１１４ａ、１１４ｂの替わりに、突出片１２２ａ、１２２ｂの凸部１２４ａ、１２４ｂと係合する他の凸部を設けたりしてもよい。
【００４７】
また、本実施の形態１では、挿入部１３１に係合突起１３３を設け、この係合突起１３３を化粧パネル１２０の外縁部１２３に係合させるように接触させたが、図７に示すように、係合突起１３３を設けなくてもよい。この場合、図８に示すように、冶具１３０の挿入部１３１の平面状の表面が化粧パネル１２０の外縁部１２３に接触するだけになるが、この外縁部１２３と挿入部１３１の表面との摩擦力によって、突出片１２２ｂを抜き出しやすくなるので、化粧パネル１２０も取り外しやすくなる。より摩擦力を高めるために、摩擦係数の大きい材料を用いたり、表面を粗面化したりしてもよい。
【００４８】
（実施の形態２）
次に、実施の形態２における電子機器について説明する。
【００４９】
実施の形態２における電子機器は、実施の形態１における電子機器１００の化粧パネル１２０と筐体１１０のフランジ部１１２を改良したものである。実施の形態１における電子機器１００と同一の構成については、その説明を省略するとともに同一の符号を付す。
【００５０】
＜化粧パネル１６０およびフランジ部１５２について＞
図９、図１０、図１１において、実施の形態２における電子機器１００の化粧パネル１６０は、筐体１５０に対して着脱可能であって、筐体１５０の前面を被覆するパネル本体１６１と、パネル本体１６１の後面に配置し、筐体１５０に向かって突出するように配置した複数の突出片１６２ａ、１６２ｂとを有している。この突出片１６２ａ、１６２ｂは、パネル本体１６１の外縁部１６３よりも、数百μｍ〜数ｍｍ程度、内側に配置し、パネル本体１６１の上方および下方にそれぞれ複数配置している。
【００５１】
また、パネル本体１６１の上方に配置した突出片１６２ａの先端には凸部１６４ａを設けており、この凸部１６４ａは矩形形状としている。パネル本体１６１の下方に配置した突出片１６２ｂには凹部１６４ｂを設けており、この凹部１６４ｂは方形状で貫通している。このパネル本体１６１の下方に配置した突出片１６２ｂの長さは十数ｍｍとし、パネル本体１６１の上方に配置した突出片１６２ａの長さを数ｍｍとしている。さらに、この凸部１６４ａの凸長は数ｍｍ程度とし、突出片１６２ａの先端の断面形状を略Ｌ字形状になるようにしている。
【００５２】
筐体１５０は、図１０、図１１に示すように、電子部品を搭載した筐体本体１５１と、この筐体本体１５１の前面に配置したフランジ部１５２とを有している。このフランジ部１５２には、化粧パネル１６０の突出片１６２ａ、１６２ｂを挿入する挿入口１５３を、フランジ部１５２の上方および下方にそれぞれ複数配置している。
【００５３】
フランジ部１５２の上方に配置した挿入口１５３には、化粧パネル１６０の上方に配置した突出片１６２ａを挿入する。上方に配置した挿入口１５３には、突出片１６２ａの凸部１６４ａと係止する凹部１５４ａを設けており、この係止によって化粧パネル１６０が筐体１５０に保持されている。この凹部１５４ａには、挿入口１５３の外周端面１５５も含むものとし、本実施の形態２では、挿入口１５３の外周端面１５５が凹部１５４ａに該当している。
【００５４】
フランジ部１５２の下方に配置した挿入口１５３には、化粧パネル１６０の下方に配置した突出片１６２ｂを挿入する。下方に配置した挿入口１５３には、突出片１６２ｂの凹部１６４ｂと係止する凸部１５４ｂを設けており、この係止によって化粧パネル１６０が筐体１５０に保持されている。
【００５５】
＜化粧パネル１６０の取り付けについて＞
次に、筐体１５０に化粧パネル１６０を取り付ける方法について説明する。
【００５６】
図１０、図１１に示すように、筐体１５０のフランジ部１５２の挿入口１５３に化粧パネル１６０の突出片１６２ａ、１６２ｂを挿入して、フランジ部１５２の上方に配置した挿入口１５３の凹部１５４ａには、化粧パネル１６０の上方に配置した突出片１６２ａの凸部１６４ａを係止させ、フランジ部１５２の下方に配置した挿入口１５３の凸部１５４ｂには、化粧パネル１６０の下方に配置した突出片１６２ｂの凹部１６４ｂを係止させ、化粧パネル１６０を筐体１５０に取り付けている。
【００５７】
まず、化粧パネル１６０の上方に配置した突出片１６２ａをこの突出片１６２ａに対応する挿入口１５３に挿入し、挿入口１５３の凹部１５４ａに突出片１６２ａの凸部１６４ａを係止させる。その後、化粧パネル１６０の下方に配置した突出片１６２ｂをこの突出片１６２ｂに対応する挿入口１５３に挿入し、挿入口１５３の凸部１５４ｂに突出片１６２ａの凹部１６４ｂを係止させる。化粧パネル１６０の上方に配置した突出片１６２ａの長さを下方に配置した突出片１６２ｂの長さよりも短くしているので、このように取り付けている。
【００５８】
また、化粧パネル１６０の下方に配置した突出片１６２ｂを挿入する挿入口１５３は、その内周面を傾斜させている。挿入口１５３の奥に向かって、突出片１６２ｂの凹部１６４ｂを設けた側の面と対向する挿入口１５３の内周面を対向間隔が狭くなるように傾斜させている。これは、化粧パネル１６０の取り外しの際、突出片１６２ｂと挿入口１５３の間に、実施の形態１で用いた冶具１３０を挿入するが、この冶具１３０を挿入しやすくするためのガイド面１５６として用いるためである。
【００５９】
＜化粧パネル１６０の取り外しについて＞
次に、筐体１５０から化粧パネル１６０を取り外す方法について説明する。
【００６０】
化粧パネル１６０の取り外しの際は、実施の形態１で用いた冶具１３０を用いる。
【００６１】
取り外しは、上記冶具１３０の取っ手部１３２を持って、図１２に示すように、フランジ部１５２の下方に配置された挿入口１５３の内周面と化粧パネル１６０の下方に配置された突出片１６２ｂとの間に冶具１３０の挿入部１３１を挿入する。冶具１３０の挿入部１３１は、挿入口１５３の内周面と突出片１６２ｂとの間隔よりも広い厚みなので、冶具１３０の挿入部１３１を押し込みながら挿入することになる。挿入が深くなるにつれて、挿入口１５３の凸部１５４ｂに係止されていた突出片１６２ｂの凹部１６４ｂが持ち上がり、凸部１５４ｂに対する凹部１６４ｂの係止が解除される。挿入部１３１の厚みを挿入口１５３の凸部１５４ｂの凸長以上にしているので、冶具１３０の挿入部１３１を挿入するだけで係止が解除される。また、たとえ、挿入部１３１の厚みが挿入口１５３の凸部１５４ｂの凸長未満であっても、挿入部１３１を凸部１５４ｂまで、挿入すれば解除される。
【００６２】
その後、取っ手部１３２を持って、フランジ部１５２の挿入口１５３の内周面と化粧パネル１６０の突出片１６２ａとの間から冶具１３０の挿入部１３１を引き出す。この際、挿入部１３１に設けた係合突起１３３を化粧パネル１６０の外縁部１６３に係合させるように接触させて挿入部１３１を引き出す。化粧パネル１６０の外縁部１６３に挿入部１３１の係合突起１３３が係合しているので、挿入部１３１の引き出しにともなって突出片１６２ｂも抜き出される。
【００６３】
また、冶具１３０の挿入部１３１は、挿入口１５３の内周面と突出片１６２ｂとの間隔よりも広い厚みなので、冶具１３０の挿入部１３１が突出片１６２ｂを加圧した状態となり、挿入部１３１と突出片１６２ｂとの間に摩擦力が働くので、この摩擦力によっても、突出片１６２ｂが抜き出される。
【００６４】
このように、フランジ部１５２の挿入口１５３の内周面と化粧パネル１６０の突出片１６２ｂとの間から冶具１３０の挿入部１３１を引き出す際、この挿入部１３１の引き出しにともなって突出片１６２ｂを抜き出される。
【００６５】
そして、フランジ部１５２の上方に配置された挿入口１５３の凹部１５４ａに係止された突出片１６２ａの凸部１６４ａを解除し、化粧パネル１６０を取り外している。この係止の解除は、フランジ部１５２の下方に配置された挿入口１５３の凸部１５４ｂに係止された突出片１６２ｂの凹部１６４ｂを抜き出すことによって、自然に解除できる。
【００６６】
＜実施の形態２のまとめ＞
上記実施の形態２の電子機器１００によれば、化粧パネル１６０の下方に配置した突出片１６２ｂに凹部１６４ｂを設け、フランジ部１５２の下方に配置した挿入口１５３に凸部１５４ｂを設け、化粧パネル１６０の取り付けは、この挿入口１５３に突出片１６２ｂを挿入して突出片１６２ｂの凹部１６４ｂと挿入口１５３の凸部１５４ｂを係止して行い、化粧パネル１６０の取り外しは、挿入口１５３と突出片１６２ｂとの間に冶具１３０を挿入して突出片１６２ｂの凹部１６４ｂと挿入口１５３の凸部１５４ｂとの係止を解除し、かつ、冶具１３０を引き出しながら挿入口１５３から突出片１６２ｂを抜き出して行うので、挿入口１５３に対する突出片１６２ｂの係止や解除の構成が容易である。
【００６７】
また、突出片１６２ｂに凹部１６４ｂを設けるとともに挿入口１５３に凸部１５４ｂを設けているので、挿入口１５３に対する突出片１６２ｂの係止や解除の構成が容易である。
【００６８】
また、冶具１３０を斜めに挿入するガイド面１５６を挿入口１５３に設けているので、突出片１６２ｂと挿入口１５３の間に冶具の挿入部を挿入しやすい。
【００６９】
また、冶具１３０の挿入部１３１の厚みは挿入口１５３の凸部１５４ｂの凸長以上にし、冶具１３０の挿入部１３１の挿入に伴って突出片１６２ｂの凹部１６４ｂと挿入口１５３の凸部１５４ｂとの係止を解除させているので、突出片１６２ｂと挿入口１５３の間に冶具１３０の挿入部１３１を挿入するだけで、挿入口１５３の凸部１５４ｂに対する突出片１６２ｂの凹部１６４ｂの係止を解除できる。冶具１３０の挿入部１３１の厚みについては、例えば、挿入部１３１の厚みが挿入口１５３の凸部１５４ｂの凸長未満であったとしても、挿入部１３１を凸部１５４ｂまで挿入すれば、必然的に、挿入口１５３の凸部１５４ｂに対する突出片１６２ｂの凹部１６４ｂの係止を解除できる。
【００７０】
なお、本実施の形態２では、フランジ部１５２の上方に配置した挿入口１５３の外周端面１５５を凹部１５４ａとして定義したが、凹部１５４ａは挿入口１５３の内周面に設けたり、凹部１５４ａの替わりに、突出片１６２ａの凸部１６４ａと係合する他の凸部を設けたりしてもよい。
【００７１】
また、本実施の形態２では、挿入部１３１に係合突起１３３を設け、この係合突起１３３を化粧パネル１６０の外縁部１６３に係合させるように接触させたが、図７に示すように、係合突起１３３を設けなくてもよい。この場合、図１３に示すように、冶具１３０の挿入部１３１の平面状の表面が化粧パネル１６０の外縁部１６３に接触するだけになるが、この外縁部１６３と挿入部１３１の表面との摩擦力によって、突出片１６２ｂを抜き出しやすくなるので、化粧パネル１６０も取り外しやすくなる。より摩擦力を高めるために、摩擦係数の大きい材料を用いたり、表面を粗面化したりしてもよい。
【００７２】
また、本実施の形態２では、冶具１３０の挿入部１３１を、挿入口１５３の内周面と突出片１６２ｂとの間隔よりも広い厚みとしたが、その間隔よりも狭くしてもよい。その場合、冶具１３０の挿入部１３１が突出片１６２ｂを加圧しない状態となり、挿入部１３１と突出片１６２ｂとの間に摩擦力が働きにくいので、化粧パネル１６０の外縁部１６３に挿入部１３１を接触させるようにして、上述のように、この外縁部１６３と挿入部１３１の表面との摩擦力によって、突出片１６２ｂを抜き出すようにすればよい。
【００７３】
＜一実施の形態のまとめ＞
以上のように、発明を実施するための一実施の形態の電子機器１００によれば、化粧パネル１２０、１６０の取り外しは、筐体１１０、１５０の挿入口１１３、１５３と化粧パネル１２０、１６０の突出片１２２ｂ、１６２ｂとの間に冶具１３０を挿入して挿入口１１３、１５３に対する突出片１２２ｂ、１６２ｂの係止を解除し、かつ、冶具１３０を引き出しながら挿入口１１３、１５３から突出片１２２ｂ、１６２ｂを抜き出して行うので、一つの冶具１３０を用いて、突出片１２２ｂ、１６２ｂの係止を解除できるとともに挿入口１１３、１５３から突出片１２２ｂ、１６２ｂを抜き出すことができる。すなわち、作業者は、手に持った一つの冶具１３０を使うだけで、化粧パネル１２０、１６０を取り外しやすくなるので、作業性を向上できる。
【産業上の利用可能性】
【００７４】
本発明は、化粧パネルを取り付けた電子機器に適用可能である。
【符号の説明】
【００７５】
１００    電子機器
１１０    筐体
１１１    筐体本体
１１２    フランジ部
１１３    挿入口
１１４ａ    凹部
１１４ｂ    凹部
１１５    外周端面
１１６    ガイド面
１２０    化粧パネル
１２１    パネル本体
１２２ａ    突出片
１２２ｂ    突出片
１２３    外縁部
１２４ａ    凸部
１２４ｂ    凸部
１３０    冶具
１３１    挿入部
１３２    取っ手部
１３３    係合突起
１５０    筐体
１５１    筐体本体
１５２    フランジ部
１５３    挿入口
１５４ａ    凹部
１５４ｂ    凸部
１５５    外周端面
１５６    ガイド面
１６０    化粧パネル
１６１    パネル本体
１６２ａ    突出片
１６２ｂ    突出片
１６３    外縁部
１６４ａ    凸部
１６４ｂ    凹部
【図１】
2011061115.tif 000003
【図２】
2011061115.tif 000004
【図３】
2011061115.tif 000005
【図４】
2011061115.tif 000006
【図５】
2011061115.tif 000007
【図６】
2011061115.tif 000008
【図７】
2011061115.tif 000009
【図８】
2011061115.tif 000010
【図９】
2011061115.tif 000011
【図１０】
2011061115.tif 000012
【図１１】
2011061115.tif 000013
【図１２】
2011061115.tif 000014
【図１３】
2011061115.tif 000015
【図１４】
2011061115.tif 000016
【図１５】
2011061115.tif 000017
【図１６】
2011061115.tif 000018
【図１７】
2011061115.tif 000019